(57)【要約】本発明は、無線通信デバイス（１００）のユーザインタフェースを改善する方法及び装置を記載する。無線通信デバイス（１００）は、第１のユーザインタフェース（１４２）を有する本体（１０４）と、第２のユーザインタフェース（１４４）を有する可動カバー（１０２）とを備える。可動カバー（１０２）が本体（１０４）に対して閉じられると、可動カバー（１０２）は第１のユーザインタフェース（１４２）の少なくとも一部を隠す。可動カバー（１０２）を開くことなく第１のユーザインタフェース（１４２）に関連する機能の一部を提供するために、本発明は、第２のユーザインタフェース（１４４）に関連するソフトキー（１０６）を、第１のユーザインタフェース（１４２）の選択した制御ボタン又はキーに割り当てられている機能にマッピングする。
2008544643.tif 000002
【特許請求の範囲】
【請求項１】
本体（１０４）と可動カバー（１０２）とを備える無線通信デバイス（１００）用の改良されたユーザインタフェースを設ける方法であって、
前記可動カバー（１０２）が前記本体（１０４）に対して閉じた位置にあるときに、該可動カバー（１０２）によって少なくとも一部が隠される、複数の制御ボタンを有する第１のユーザインタフェースを設けるステップと、
前記可動カバー（１０２）が前記閉じた位置にあるときにアクセス可能な、ソフトキー（１０６）を有する前記第２のユーザインタフェースを設けるステップと、
前記可動カバー（１０２）が前記閉じた位置にあるときに、前記第１のユーザインタフェースが有する前記複数の制御ボタンのうち選択された制御ボタンに割り当てられている機能（１０８）に前記ソフトキー（１０６）をマッピングするステップと
を含むことを特徴とする方法。
【請求項２】
前記機能に前記ソフトキー（１０６）をマッピングする前記ステップは、ユーザ入力に応じて前記機能に前記ソフトキー（１０６）をマッピングするステップを含むことを特徴とする請求項１に記載の方法。
【請求項３】
前記機能に前記ソフトキー（１０６）をマッピングする前記ステップは、使用形態に基づいて前記機能に前記ソフトキー（１０６）をマッピングするステップを含むことを特徴とする請求項１に記載の方法。
【請求項４】
前記機能に前記ソフトキー（１０６）をマッピングする前記ステップは、識別された動作モードに基づいて前記機能に前記ソフトキー（１０６）をマッピングするステップを含むことを特徴とする請求項１に記載の方法。
【請求項５】
前記機能に前記ソフトキー（１０６）をマッピングする前記ステップは、前記識別された動作モードとは異なる動作モードでは異なる機能に前記ソフトキー（１０６）をマッピングするステップをさらに含むことを特徴とする請求項４に記載の方法。
【請求項６】
前記機能に前記ソフトキー（１０６）をマッピングする前記ステップは、解釈した音声オプションに基づいて前記機能に前記ソフトキー（１０６）をマッピングするステップを含むことを特徴とする請求項１に記載の方法。
【請求項７】
前記可動カバー（１０２）が閉じた位置にあるときに、前記ソフトキー（１０６）の作動に応じて前記機能を実行するステップと、
前記本体（１０４）に対して前記可動カバー（１０２）が開いた位置にあるときに、前記選択された制御ボタンの作動に応じて前記機能を実行するステップと
をさらに含むことを特徴とする請求項１に記載の方法。
【請求項８】
前記機能に前記ソフトキー（１０６）をマッピングする前記ステップは、前記選択された制御ボタンに割り当てられている音声メール機能に前記ソフトキー（１０６）をマッピングするステップを含むことを特徴とする請求項１に記載の方法。
【請求項９】
前記音声メール機能は、削除機能、スキップ機能、セーブ機能及び再生機能の１つを含むことを特徴とする請求項８に記載の方法。
【請求項１０】
前記可動カバー（１０２）が閉じた位置にあるときに、前記ソフトキー（１０６）の作動に応じて、前記選択された制御ボタンに対応する多周波数信号を無線受信機に送信することによって、前記音声メール機能を実行するステップをさらに含むことを特徴とする請求項８に記載の方法。
【請求項１１】
前記機能に前記ソフトキー（１０６）をマッピングする前記ステップは、前記第１のユーザインタフェース（１４２）の前記選択された制御ボタンに割り当てられている機能のメニューに前記ソフトキー（１０６）をマッピングするステップを含むことを特徴とする請求項１に記載の方法。
【請求項１２】
前記第１のユーザインタフェース（１４２）は、キーパッドを含み、
前記選択された制御ボタンに割り当てられている前記機能に前記ソフトキー（１０６）をマッピングする前記ステップは、前記キーパッドの選択されたキーに割り当てられている前記機能に前記ソフトキー（１０６）をマッピングするステップを含むことを特徴とする請求項１に記載の方法。
【請求項１３】
前記第１のユーザインタフェース（１４２）は、前記本体（１０４）上に設けられることを特徴とする請求項１に記載の方法。
【請求項１４】
前記第２のユーザインタフェース（１４４）は、前記可動カバー（１０２）上に設けられることを特徴とする請求項１に記載の方法。
【請求項１５】
前記第１のユーザインタフェース（１４２）の前記選択された制御ボタンに割り当てられている前記機能は、第１機能を含み、
前記可動カバー（１０２）が前記本体（１０４）に対して開いた位置にあるときに、前記第１機能とは異なる第２機能に前記ソフトキー（１０６）をマッピングするステップをさらに含むことを特徴とする請求項１に記載の方法。
【請求項１６】
前記第２機能に前記ソフトキー（１０６）をマッピングする前記ステップは、識別された動作モードに基づいて前記第２機能に前記ソフトキー（１０６）をマッピングするステップを含むことを特徴とする請求項１５に記載の方法。
【請求項１７】
本体（１０４）と可動カバー（１０２）とを備える無線通信デバイス（１００）用に音声メール制御ボタンを設ける方法であって、
前記可動カバー（１０２）が前記本体（１０４）に対して閉じた位置にあるときに、前記可動カバー（１０２）によって少なくとも一部が隠されるキーパッド（１４２）であって、前記本体（１０４）又は前記可動カバー（１０２）に前記キーパッド（１４２）を設けるステップと、
前記可動カバー（１０２）が閉じた位置にあるときにアクセス可能なソフトキー（１０６）を、前記本体（１０４）又は前記可動カバー（１０２）に設けるステップと、
前記音声メールの動作モード中に、前記可動カバー（１０２）が閉じた位置にあるときに、前記キーパッド（１４２）のうち選択されたキーに割り当てられている音声メール機能に前記ソフトキー（１０６）をマッピングするステップと
を含むことを特徴とする方法。
【請求項１８】
前記可動カバー（１０２）が前記閉じている位置にある間に前記ソフトキー（１０６）の作動に応じて前記選択されたキーに対応する多周波数信号を無線受信機に送信することによって前記音声メール機能を実行するステップをさらに含むことを特徴とする請求項１７に記載の方法。
【請求項１９】
前記音声メール機能は、削除機能、スキップ機能、セーブ機能及び再生機能の１つを含むことを特徴とする請求項１７に記載の方法。
【請求項２０】
前記音声メール機能に前記ソフトキー（１０６）をマッピングする前記ステップは、ユーザ入力に応じて前記音声メール機能に前記ソフトキー（１０６）をマッピングするステップを含むことを特徴とする請求項１７に記載の方法。
【請求項２１】
前記音声メール機能に前記ソフトキー（１０６）をマッピングする前記ステップは、使用形態に基づいて前記音声メール機能に前記ソフトキー（１０６）をマッピングするステップを含むことを特徴とする請求項１７に記載の方法。
【請求項２２】
前記音声メール機能に前記ソフトキー（１０６）をマッピングする前記ステップは、解釈した音声オプションに基づいて前記音声メール機能を前記ソフトキー（１０６）にマッピングするステップを含むことを特徴とする請求項１７に記載の方法。
【請求項２３】
本体（１０４）と可動カバー（１０２）とを備える無線通信デバイス（１００）用の改良されたユーザインタフェースを設ける方法であって、
前記可動カバー（１０２）が第１のユーザインタフェース（１４２）の少なくとも一部を隠す場合に閉じた位置を検知するステップと、
前記無線通信デバイス（１００）の動作モードを識別するステップと、
識別された前記動作モードに基づき、前記可動カバー（１０２）が前記閉じた位置にあるときに、前記閉じた位置の検知に応じて前記第１のユーザインタフェース（１４２）の選択された制御ボタンに割り当てられている機能にソフトキー（１０６）をマッピングするステップと
を含むことを特徴とする方法。
【請求項２４】
前記機能に前記ソフトキー（１０６）をマッピングする前記ステップは、ユーザ入力に応じて前記機能に前記ソフトキー（１０６）をマッピングするステップを含むことを特徴とする請求項２３に記載の方法。
【請求項２５】
前記機能に前記ソフトキー（１０６）をマッピングする前記ステップは、使用形態に基づいて前記機能に前記ソフトキー（１０６）をマッピングするステップを含むことを特徴とする請求項２３に記載の方法。
【請求項２６】
識別された前記動作モードは、音声メール動作モードを含み、
前記機能に前記ソフトキー（１０６）をマッピングする前記ステップは、前記第１のユーザインタフェース（１４２）の前記選択された制御ボタンに割り当てられている音声メール機能に前記ソフトキー（１０６）をマッピングするステップを含むことを特徴とする請求項２３に記載の方法。
【請求項２７】
無線通信デバイス（１００）であって、
本体（１０４）と、
前記本体（１０４）に結合された可動カバー（１０２）と、
前記可動カバー（１０２）が前記本体（１０４）に対して閉じた位置にあるときに、前記可動カバー（１０２）によって少なくとも部分的に隠される第１のユーザインタフェース（１４２）であって、複数の制御ボタンを含む前記第１のユーザインタフェース（１４２）と、
前記可動カバー（１０２）が前記閉じた位置にあるときに、アクセス可能な第２のユーザインタフェース（１４４）であって、ソフトキー（１０６）を含む前記第２のユーザインタフェース（１４４）と、
前記可動カバー（１０２）が前記閉じた位置にあるときに、前記第１のユーザインタフェース（１４２）の選択された制御ボタンに割り当てられている機能に前記ソフトキー（１０６）をマッピングするマッピングプロセッサ（１５２）であって、前記第２のユーザインタフェース（１４４）に動作可能に接続された前記マッピングプロセッサ（１５２）と
を備えることを特徴とする無線通信デバイス（１００）。
【請求項２８】
前記マッピングプロセッサ（１５２）は、ユーザ入力に応じて前記機能に前記ソフトキー（１０６）をマッピングすることを特徴とする請求項２７に記載の無線通信デバイス（１００）。
【請求項２９】
前記マッピングプロセッサ（１５２）は、
音声オプションを解釈し、
前記解釈した音声オプションに基づいて前記機能に前記ソフトキー（１０６）をマッピングすることを特徴とする請求項２７に記載の無線通信デバイス（１００）。
【請求項３０】
使用形態を決定する使用法プロセッサ（１５６）をさらに備え、
前記マッピングプロセッサ（１５２）は、前記使用形態に基づいて前記機能に前記ソフトキー（１０６）をマッピングすることを特徴とする請求項２７に記載の無線通信デバイス（１００）。
【請求項３１】
前記無線通信デバイス（１００）の動作モードを識別するモードプロセッサ（１５４）をさらに備え、
前記マッピングプロセッサ（１５２）は、識別された動作モードに基づいて前記機能に前記ソフトキー（１０６）をマッピングすることを特徴とする請求項２７に記載の無線通信デバイス（１００）。
【請求項３２】
前記マッピングプロセッサ（１５２）は、前記識別された動作モードとは異なる動作モード中に異なる機能に前記ソフトキー（１０６）をマッピングすることを特徴とする請求項３１に記載の無線通信デバイス（１００）。
【請求項３３】
前記無線通信デバイス（１００）は、
前記可動カバー（１０２）が前記閉じた位置にあるときに、前記ソフトキー（１０６）の作動に応じて前記機能を実行し、
前記可動カバー（１０２）が前記本体（１０４）に対して開いた位置にあるときに、前記選択された制御ボタンの作動に応じて前記機能を実行することを特徴とする請求項２７に記載の無線通信デバイス（１００）。
【請求項３４】
前記機能は、音声メール機能を含むことを特徴とする請求項３３に記載の無線通信デバイス（１００）。
【請求項３５】
前記可動カバー（１０２）が前記閉じた位置にあるときに、前記ソフトキー（１０６）の作動に応じて前記音声メール機能に対応する多周波数信号を無線受信機に送信する送受信機（１２２）をさらに備えることを特徴とする請求項３４に記載の無線通信デバイス（１００）。
【請求項３６】
前記第１のユーザインタフェース（１４２）は、キーパッドを備え、
前記選択された制御ボタンに割り当てられている前記機能に前記ソフトキー（１０６）をマッピングすることは、前記キーパッドの選択されたキーに割り当てられている前記機能に前記ソフトキー（１０６）をマッピングすることを含むことを特徴とする請求項２７に記載の無線通信デバイス（１００）。
【請求項３７】
前記第１のユーザインタフェース（１４２）は、前記本体（１０４）に配置されることを特徴とする請求項２７に記載の無線通信デバイス（１００）。
【請求項３８】
前記第２のユーザインタフェース（１４４）は、前記可動カバー（１０２）に配置されることを特徴とする請求項２７に記載の無線通信デバイス（１００）。
【請求項３９】
前記第１のユーザインタフェース（１４２）の前記選択された制御ボタンに割り当てられている前記機能は、第１機能を含み、
前記マッピングプロセッサ（１５２）は、さらに、
前記可動カバー（１０２）が前記本体（１０４）に対して開いた位置にあるときに、前記第１機能とは異なる第２機能に前記ソフトキー（１０６）をマッピングすることを特徴とする請求項２７に記載の無線通信デバイス（１００）。
【請求項４０】
無線通信デバイス（１００）であって、
本体（１０４）と、
前記本体（１０４）に結合された可動カバー（１０２）と、
前記可動カバー（１０２）が前記本体（１０４）に対して閉じた位置にあるときに、前記可動カバー（１０２）によって少なくとも一部が隠されるキーパッド（１４２）と、
前記可動カバー（１０２）が前記閉じた位置にあるときに、アクセス可能なソフトキー（１０６）と、
前記可動カバー（１０２）が前記閉じた位置にあるときに、前記キーパッドの選択されたキーに割り当てられている音声メール機能に前記ソフトキー（１０６）をマッピングするマッピングプロセンサ（１５２）と
を備えることを特徴とする無線通信デバイス（１００）。
【請求項４１】
前記可動カバー（１０２）が閉じた位置にあるときに、前記ソフトキー（１０６）の作動に応じて前記選択されたキーに対応する多周波数信号を送信する送受信機（１２２）をさらに備えることを特徴とする請求項４０に記載の無線通信デバイス（１００）。
【請求項４２】
使用形態を決定する使用法プロセッサ（１５６）をさらに備え、
前記マッピングプロセッサ（１５２）は、前記使用形態に基づいて前記機能に前記ソフトキー（１０６）をマッピングすることを特徴とする請求項４０に記載の無線通信デバイス（１００）。
【請求項４３】
前記マッピングプロセッサ（１５２）は、さらに、音声オプションを解釈し、該解釈した音声オプションに基づいて前記音声メール機能に前記ソフトキー（１０６）をマッピングすることを特徴とする請求項４０に記載の無線通信デバイス（１００）。
【請求項４４】
無線通信デバイス（１００）であって、
本体（１０４）と、
前記本体（１０４）に結合された可動カバー（１０２）と、
複数の制御ボタンを有する第１のユーザインタフェース（１４２）と、
前記可動カバー（１０２）が前記本体（１０４）に対して閉じた位置にあるときにアクセス可能なソフトキー（１０６）を含む第２のユーザインタフェース（１４４）と、
前記無線通信デバイス（１００）の動作モードを識別するモードプロセッサ（１５４）と、
前記可動カバー（１０２）が前記第１のユーザインタフェース（１４２）の少なくとも一部を隠す場合に、前記動作モードに基づいて前記第１のユーザインタフェース（１４２）が有する複数の制御ボタンのうち選択された制御ボタンに割り当てられている機能に前記ソフトキー（１０６）をマッピングするマッピングプロセッサ（１５２）と
を備えることを特徴とする無線通信デバイス（１００）。
【請求項４５】
前記マッピングプロセッサ（１５２）は、ユーザ入力に応じて前記機能に前記ソフトキー（１０６）をマッピングすることを特徴とする請求項４４に記載の無線通信デバイス（１００）。
【請求項４６】
使用形態を決定する使用法プロセッサ（１５６）をさらに備え、
前記マッピングプロセッサ（１５２）は、前記使用形態に基づいて前記機能に前記ソフトキー（１０６）をマッピングすることを特徴とする請求項４４に記載の無線通信デバイス（１００）。
【請求項４７】
本体（１０４）と可動カバー（１０２）とを備える無線通信デバイス（１００）用の改良されたユーザインタフェースを設ける方法であって、
前記可動カバー（１０２）が前記本体（１０４）に対して、開いた位置又は閉じた位置のいずれかにあるときにアクセス可能な第１のユーザインタフェース（１４４）を前記無線通信デバイス（１００）の前記可動カバー（１０２）上に設けるステップと、
前記可動カバー（１０２）が開いた位置にあるときに、前記第１のユーザインタフェース（１４４）の制御ボタンを第１機能にマッピングするステップと、
前記可動カバー（１０２）が閉じた位置にあるときに、前記第１のユーザインタフェース（１４４）の制御ボタンを第２機能にマッピングするステップと
を含むことを特徴とする方法。
【請求項４８】
前記本体（１０４）上に第２のユーザインタフェース（１４２）を設けるステップをさらに含み、
前記第２のユーザインタフェース（１４２）は、
前記可動カバー（１０２）が閉じた位置にあるときに、該可動カバー（１０２）によって少なくとも部分的に隠されることを特徴とする請求項４７に記載の方法。
【請求項４９】
前記第２機能は、前記第２のユーザインタフェース（１４２）の選択された制御ボタンに割り当てられている機能を含むことを特徴とする請求項４７に記載の方法。
【発明の詳細な説明】
【技術分野】
【０００１】
本発明は、一般に、無線通信デバイスに関し、より詳細には、無線通信デバイス用のユーザインタフェースに関するものである。
【背景技術】
【０００２】
無線通信デバイスの進化に合わせて、製造業者は、デバイスのサイズを縮小するために種々の機構構成を開発し続けている。無線通信デバイスの中には、複数のピースから構成されるデザイン（２ピースのデザインは、例えば本体と可動カバーを有する構成となる。）を備えるものがある。この場合、可動カバーは本体の上にかぶさり、無線通信デバイスのサイズを縮小させる。２ピースデザインの例の中には、クラムシェル、ジャックナイフ、スライド型の無線通信デバイスのデザインがある。
【発明の開示】
【発明が解決しようとする課題】
【０００３】
多くの２ピース型の無線通信デバイスのデザインでは、本体上にユーザインタフェースを備える。しかし、可動カバーが本体に対して閉じた位置にあるとき、可動カバーはユーザインタフェースの全部又は一部を隠すこととなる。可動カバーが閉じている間もユーザが機能の一部にアクセスすることを可能にするために、２ピース型の無線通信デバイスのデザインには、可動カバーが閉じた位置にあるときにもアクセス可能なように、可動カバーの上に第２のユーザインタフェースを備えるものがある。第２のユーザインタフェースは、通常、第１のユーザインタフェースより少ない機能のみを含む。例えば、第２のインタフェースは英数字キーパッドを含まないため、可動カバーが閉じている間、ユーザは、キーパッド入力を必要とする機能又はコマンドを実行することができない。その結果、ユーザは所望の特徴（ｆｅａｔｕｒｅ）又は機能にアクセスするために、可動カバーを開けなければならない。
【課題を解決するための手段】
【０００４】
本発明は、本体と可動カバーを備える複数ピースの無線通信デバイスのデザイン向けに、改良ユーザインタフェースを提供する方法及び装置に関する。本体は、第１のユーザインタフェースを有する。一方、可動カバーは、第２のユーザインタフェースを有する。可動カバーが閉じた位置にあるとき、可動カバーは、第１のユーザインタフェースの少なくとも一部を隠す。しかし、可動カバーが閉じた位置にあるときも、第２のユーザインタフェースはユーザからアクセス可能である。可動カバーを開ける必要なしに、第１のユーザインタフェースに関連する機能の一部を提供するために、本発明は、第２のユーザインタフェースのソフトキーを第１のユーザインタフェースの選択した制御ボタン又はキーに関連する機能にマッピングする。その結果、ユーザは、可動カバーを開く必要なしに、通常は隠れた第１のユーザインタフェースに限定されていた機能を実施することができる。
【０００５】
例示的な一実施形態によれば、無線通信デバイスは、種々の操作モードを有してもよい。この実施形態に関して、可動カバーが閉じているとき、無線通信デバイスは、特定した操作モードに基づき、ソフトキーを特定の機能にマッピングしてもよい。例えば一適用例では、本発明は、無線通信デバイスがボイスメール操作モードで動作するときに実施されてもよい。可動カバーが閉じているとき、無線通信デバイスは、第２のインタフェースのソフトキーを、隠れた第１のユーザインタフェースの選択したキーに通常割り当てられているボイスメール機能にマッピングする。ソフトキーを作動させることにより、ユーザは、可動カバーを開けずに、すなわち第１のユーザインタフェースに直接アクセスせずに、所望のボイスメール機能を実施する。
【０００６】
本発明を実施するために、無線通信デバイスはマッピングプロセッサを有する。可動カバーが閉じているとき、マッピングプロセッサは、ソフトキーを隠れた第１のユーザインタフェースの選択したキーに割り当てられている機能にマッピングする。例示的な一実施形態によれば、無線通信デバイスは、自装置の操作モードを判定するモードプロセッサも備えてもよい。本実施形態において、可動カバーが閉じた位置にあるとき、マッピングプロセッサは、モードプロセッサが判定した操作モードに基づき、ソフトキーを適切な機能にマッピングする。
【０００７】
他の例示的な実施形態によれば、可動カバーが閉じているために本体のユーザインタフェースの少なくとも一部が隠れる場合、本発明の無線通信デバイスは、可動カバーのユーザインタフェースのソフトキーを第１の機能にマッピングする。可動カバーが開いているとき、無線通信デバイスは、可動カバーのユーザインタフェースのソフトキーを第２の機能にマッピングする。したがって、本発明は、本体に対する可動カバーの位置にも基づいて、ソフトキーを異なる機能にマッピングしてもよい。
【発明を実施するための最良の形態】
【０００８】
本発明は、本体と可動カバーを有するどの無線通信デバイスにも適用される。本明細書で使用する限り、用語「無線通信デバイス」は、携帯電話機、衛星電話機、パーソナル通信サービス（ＰＣＳ）装置、携帯情報端末（ＰＤＡ）及びパームトップコンピュータ等を含んでもよい。
【０００９】
図１Ａ乃至図１Ｃは、代表的な２ピース型の無線通信デバイス１００を示す図である。各無線通信デバイス１００は、本体１０４に対して動く可動カバー１０２を有する。当業者には当然のことながら、図１Ａ乃至図１Ｃに示す無線通信デバイス１００は、説明を目的とするものであり、それ故、本発明を限定しない。
【００１０】
図１Ａは、ジャックナイフ型無線通信デバイス１００を示す図である。ジャックナイフ型無線通信デバイス１００は、本体１０４に回転軸で接続された可動カバー１０２を備える。可動カバー１０２は、図１に示すように、回転軸（不図示）の周りを本体１０４に対して時計方向又は反時計方向に回転して開閉する。
【００１１】
図１Ｂは、クラムシェル型無線通信デバイス１００を示す図である。クラムシェル型無線通信デバイス１００は、ヒンジ機構１０３によって、本体１０４に対してヒンジで動くように接続された可動カバー１０２を備える。ユーザは、ヒンジ１０３の周りで可動カバー１０２を回転することにより、可動カバーを開閉する。
【００１２】
図１Ｃは、スライド型無線通信デバイス１００を示す図である。スライド型無線通信デバイス１００は、本体１０４に対しスライドできるように接続された可動カバー１０２を備える。図１Ｃに示すように、可動カバー１０２は、本体１０４に対して上下にスライドする。ユーザは、可動カバー１０２を開けるために本体に対して可動カバー１０２を上にスライドさせ、可動カバー１０２を閉じるために可動カバー１０２を下にスライドさせる。
【００１３】
図１Ａ乃至図１Ｃに示すように、可動カバー１０２が開いた位置にあるとき（図１Ａ乃至図１Ｃの左側のイラスト）、ユーザは、第１のユーザインタフェース１４２及び第２のユーザインタフェース１４４に物理的にアクセスできる。両方のインタフェース１４２、１４４とも無効になっている場合でさえ、物理的にアクセスできる。しかし、可動カバー１０２が閉じた位置にあるとき（図１Ａ乃至図１Ｃの右側のイラスト）、可動カバー１０２は、第１のユーザインタフェース１４２の少なくとも一部を隠す。その結果、第１のユーザインタフェース１４２により制御される機能にアクセスするためには、ユーザは可動カバー１０２を開ける必要がある。ユーザが第１のユーザインタフェース１４２に関連する大部分の機能を必要としないとき、あるいはユーザが特定の制御ボタンに束の間だけアクセスする必要があるとき、この余分な手順は面倒なことがある。
【００１４】
第１のユーザインタフェース１４２が隠れることに関連する課題の一部を解決するために、２ピースの無線通信デバイス１００の中には、可動カバー１０２が閉じているときアクセス可能な第２のユーザインタフェース１４４を配置しているものがある。この第２のユーザインタフェース１４４は、図１Ａ及び図１Ｃに示すように、第１のユーザインタフェース１４２を補完するか、又は図１Ｂに示すように、第１のユーザインタフェース１４２に対する単に切り詰めた機能のインタフェースに相当する。どちらにしても、可動カバー１０２が閉じているとき、第２のユーザインタフェース１４４は、ユーザからアクセス可能ではあるが、一部の所望の機能へのアクセスを提供しないことがある。例えば、ボイスメール機能などの無線通信デバイスの機能の中には、多周波（ＤＴＭＦ）信号を出すキーパッドへのアクセスを必要とするものがある。第２のユーザインタフェース１４４は、キーパッド又はキーパッドによって制御する機能へのアクセスを提供しないため、ＤＴＭＦコマンドを実行するには不適当である。本発明は、以下でさらに説明するように、第２のユーザインタフェース１４４のソフトキーを第１のユーザインタフェース１４２の制御ボタンに割り当てられている選択した機能にマッピングすることにより、この問題を解決する。
【００１５】
説明を容易にするために、以下では、ボイスメール機能とボイスメール操作モードに関して本発明を説明する。しかし、当業者には当然のことながら、本発明はこれに限定されない。本発明は、第１のユーザインタフェース１４２の特定のキー又は制御ボタンへのアクセスを必要とする、他の機能や操作モードにも適用される。例えば、マッピングしたソフトキー１０６は、代わりに例えばバンキングシステムコマンドなどの情報システムコマンドへのアクセスを提供してもよい。
【００１６】
本発明の第２のユーザインタフェース１４４は、１つ以上のソフトキー１０６を有する。可動カバー１０２が閉じているとき、無線通信デバイスは、各ソフトキー１０６を第１のユーザインタフェース１４２の選択した制御ボタンに割り当てられている機能１０８にマッピングする。可動カバー１０２が開いているとき、ソフトキー１０６は、通常、第２のユーザインタフェース１４４の制御ボタンに割り当てられている、例えばメニューシステム機能などのどの機能１０８も実装する。
【００１７】
図２は、本発明に係るマッピングプロセス２００の一例を示すフローチャートである。ブロック２１０で可動カバー１０２が閉じていると判断した場合に、無線通信デバイス１００は、ブロック２２０において、１つ以上のソフトキー１０６を、隠れた第１のユーザインタフェース１４２の選択された制御ボタンに割り当てられている１つ以上の機能にマッピングする。
【００１８】
無線通信デバイス１００は、任意の数の変数に基づき、ソフトキー１０６を機能１０８にマッピングする。例示的な一実施形態では、ユーザは、第１のユーザインタフェース１４２及び第２のユーザインタフェース１４４の少なくとも一方を使用して、無線通信デバイス１００をプログラムし、自分の好みに基づき、ソフトキー１０６をユーザ選択機能１０８にマッピングしてもよい。例えば、ユーザは、無線通信デバイス１００をプログラムして、ソフトキー１０６を「削除」機能にマッピングしてもよい。ユーザが定める設定に基づき、次いで無線通信デバイスは、ソフトキー１０６を可動カバーが閉じているときは「削除」機能１０８にマッピングする。
【００１９】
他の実施形態によれば、無線通信デバイス１００は、図３の処理手順３００に示すように、自装置の操作モードに基づき、ソフトキー１０６を特定の機能１０８にマッピングする。本実施形態によれば、ブロック３１０において、操作モードを判定した後に、無線通信デバイス１００は、ブロック３２０において、移動カバー１０２が閉じているか否かを判定する。可動カバー１０２が閉じている間、ブロック３３０において、無線通信デバイス１００は、操作モードに基づきソフトキー１０６を１つ以上の機能１０８にマッピングする。例えば、無線通信デバイス１００が可動カバー１０２は閉じていると判定し、かつ、無線通信デバイス１００がボイスメールモードで動作している場合、無線通信デバイス１００は、１つ以上のソフトキー１０６を、第１のユーザインタフェース１４２の選択された英数字キーに割り当てられている１つ以上のボイスメール機能１０８、例えば削除、スキップ、再生（別のメッセージ再生）、保存、リピート再生（現在のメッセージ再生）等にマッピングする。続いて、ブロック３４０において、無線通信デバイス１００は、第２のユーザインタフェース１４４の１つ以上のソフトキー１０６を作動させて、ユーザに応答してモード特有の機能を実施する。これらの処理は、無線通信デバイス１００がこの操作モードから抜け出るまで継続される（ブロック３５０）。
【００２０】
他の例示的な実施形態では、無線通信デバイス１００は、図４の処理手順４００に示すように、使用パターンに基づき、ソフトキー１０６を特定の機能１０８にマッピングする。使用パターンは、種々の操作モード中にユーザが長期にわたり見せた行動のパターンを表す。無線通信デバイス１００は、どの環境のもとで、どのくらいの頻度でユーザが種々の機能を実施するかを監視し、使用パターンを決定する。処理手順４００の一例によれば、無線通信デバイス１００は、ブロック４１０においてユーザ入力を受け付け、ブロック４２０において種々の操作モード中ユーザがどの機能を実施するかを監視する。この情報に基づき、無線通信デバイス１００は、ブロック４３０において使用パターンを作成し、ブロック４４０において使用パターンをメモリに格納する。可動カバー１０２が閉じているとき、ブロック４５０において、無線通信デバイス１００は、格納した使用パターンに基づき、ソフトキー１０６を機能１０８にマッピングする。例えば、ボイスメールモードの間、ユーザが、削除機能を時間の７５％、保存機能を時間の５％、及びスキップ機能を時間の２０％実行するとき、無線通信デバイス１００は、メモリにこの使用パターンを格納する。次いで、格納した使用パターンに応答して、無線通信デバイス１００は、可動カバー１０２が閉じているときはソフトキー１０６の１つを削除機能１０８に、ソフトキー１０６の他の１つをスキップ機能にマッピングする。
【００２１】
他の処理手順４００の一例によれば、無線通信デバイス１００は、操作モードの種々の段階又は場面中にユーザがどの機能を実施するかを監視することにより、使用パターンを決定してもよい（ブロック４２０、４３０）。可動カバー１０２が閉じているとき、ブロック４５０において、無線通信デバイス１００は、操作モードの種々の段階に対して決定した使用パターンに基づき、ソフトキー１０６を機能１０８にマッピングする。例えば、ユーザがまずボイスメール操作モードに入るとき、ユーザは、再生機能を時間の８０％及びスキップ機能を時間の２０％作動させるかもしれない。しかし、メッセージを聞いた後は、ユーザは、削除機能を時間の６０％及び保存機能を時間の４０％作動させるかもしれない。この使用パターンに基づき、無線通信デバイス１００は、可動カバー１０２が閉じているときのボイスメール操作モードの初期段階中、ソフトキー１０６を再生機能１０８にマッピングし、ボイスメール操作モードの後の段階中、削除機能１０８にマッピングする。したがって、本実施形態により格納された使用パターンは、特定の操作モードに依存するだけでなく、操作モードの段階又は場面にも依存する。
【００２２】
さらに他の実施形態によれば、無線通信デバイス１００は、ユーザに提示（音声出力）した音声オプションを評価し、１つ以上のソフトキー１０６を１つ以上の提示したオプションにマッピングしてもよい。例えば、自動化システムが提示する音声オプションが「繰り返しの場合は、１を押してください」と言う場合、無線通信デバイス１００は、音声オプションを解釈し、ソフトキー１０６に「繰り返し、１」と標示を付け、繰り返し機能にマッピングしてもよい。一実施形態では、マッピングプロセッサ１５２が、音声オプションを解釈し、ソフトキー１０６をマッピングしてもよい。
【００２３】
上述の説明は、ソフトキー１０６の一つの機能１０８へのマッピングである。しかし、本発明は、これに限定されない。例示的な一実施形態によれば、無線通信デバイス１００は、ソフトキー１０６を第１のユーザインタフェース１４２の選択された制御ボタンに割り当てられている複数の機能にマッピングしてもよい。本実施形態では、ユーザは、第２のユーザインタフェース１４４の他の制御ボタンを作動させて、一つのソフトキー１０６で利用可能な複数の機能１０８を行ってもよい。ユーザは、所望の機能１０８を見つけたとき、ソフトキー１０６を作動させて機能１０８を実施する。
【００２４】
図５は、本発明の上述のプロセスを実装する無線通信デバイス１００の一例を示すブロック図である。無線通信デバイス１００は、アンテナ１２４と通信回路１２０とを備える。アンテナ１２４は、当技術分野で周知の任意の手段に従って、無線信号を送受信する。通信回路１２０は、入出力回路１３４、送受信部１２２、位置検出器１２６、メモリ１２８、マイクロプロセッサ１３２、音声処理回路１３６、及びユーザインタフェース１４０を備える。入出力回路１３４は、当技術分野で周知の任意の手段に従って、マイクロプロセッサ１３２、送受信部１２２、音声処理回路１３６、及びユーザインタフェース１４０と相互接続する。アンテナ１２４に結合している送受信部１２２は、完全に機能するセルラ無線送受信部である。このセルラ無線送受信部は、グローバル・システム・フォー・モバイル・コミュニケーションズ（ＧＳＭ）、ＴＤＭＡ、ＴＩＡ／ＥＩＡ−１３６、ｃｄｍａＯｎｅ、ｃｄｍａ２０００、ＵＭＴＳ、及び広帯域ＣＤＭＡとして一般に知られる規格をはじめとする任意の周知の規格に準拠して動作してもよい。
【００２５】
ユーザインタフェース１４０は、第１のユーザインタフェース１４２、第２のユーザインタフェース１４４、ディスプレイ１４６、マイクロホン１４８、及びスピーカ１５０を有する。ディスプレイ１４６により、ユーザは、ダイヤルした数字、映像、着信状況、メニューオプション、及びソフトキーコマンドを含む他のサービス情報を見ることが可能となる。マイクロホン１４８は、ユーザの音声を電気音声信号に変換する。一方、スピーカ１５０は、遠端のユーザからの音声信号などの電気音声信号をユーザが聞くことができる可聴信号に変換する。マイクロホン１４８及びスピーカ１５０は、音声処理回路１３６と相互接続され、音声処理回路１３６は、当技術分野で周知の手段に従って音声信号を処理する。
【００２６】
第１のユーザインタフェース１４２により、当技術分野で周知のように、可動カバー１０２が開いているとき、ユーザは、英数字キーパッドを介して番号をダイヤルし、コマンドを入力し、オプションを選択することが可能となる。明示的には示していないが、第１のユーザインタフェース１４２は、他の制御ボタン及び／又はジョイスティックコントロールなどのナビゲーションコントロールを有してもよい。第２のユーザインタフェース１４４により、ユーザは、選択した数のキー、制御ボタン、及び／又はジョイスティックコントロールなどのナビゲーションコントロールを介して、コマンドを入力し、オプションを選択することが可能となる。上述したように、第２のユーザインタフェース１４４は、可動カバー１０２が閉じていて、第１のユーザインタフェース１４２の少なくとも一部を隠すとき、アクセス可能である。さらに、第２のユーザインタフェース１４４は、図１Ａ乃至図１Ｃに示すように可動カバー１０２が開いているときも、アクセス可能であってもよい。
【００２７】
マイクロプロセッサ１３２は、メモリ１２８に格納したプログラムに従って、無線通信デバイス１００の動作を制御する。マイクロプロセッサ１３２の制御機能は、ただ一つのマイクロプロセッサで実施されてもよいし、また複数のマイクロプロセッサで実施されてもよい。適切なマイクロプロセッサには、例えば、汎用及び専用の両方のマイクロプロセッサならびにデジタル信号プロセッサを含んでもよい。メモリ１２８は、無線通信デバイス１００の全階層のメモリを示し、ランダムアクセスメモリ（ＲＡＭ）とリードオンリメモリ（ＲＯＭ）との両方を含んでもよい。動作に必要なコンピュータプログラム命令及びデータは、ＥＰＲＯＭ、ＥＥＰＲＯＭ及び／又はフラッシュメモリなどの不揮発性メモリに格納される。メモリは、個別の装置若しくは積層装置に、又はマイクロプロセッサ１３２と一体化して、実装されてもよい。図５に示すように、マイクロプロセッサ１３２、入出力回路１３４、及び／又は音声処理回路１３６は、特別設計の特定用途向け集積回路（ＡＳＩＣ）１３０に組み込まれてもよい。図には示されていないが、ＡＳＩＣ１３０は、位置検出器１２６及び／又はメモリ１２８も含んでもよい。
【００２８】
本発明によれば、マイクロプロセッサ１３２は、マッピングプロセッサ１５２を含む。マッピングプロセッサ１５２は、可動カバー１０２が閉じているとき、第２のユーザインタフェース１４４のソフトキー１０６を第１のユーザインタフェース１４２の選択された制御ボタンに割り当てられている機能１０８にマッピングする。例えば、マッピングプロセッサ１５２は、２つのソフトキー１０６を第１のユーザインタフェース１４２の選択された数字キーにそれぞれ割り当てられている削除機能及び保存機能１０８にマッピングしてもよい。ソフトキー１０６を作動させると、マイクロプロセッサ１３２は、ソフトキー１０６にマッピングされた機能１０８を実行する。
【００２９】
上述したように、マッピングプロセッサ１５２は、任意の数の変数に基づき、ソフトキー１０６を機能１０８にマッピングする。一実施形態では、ユーザは、無線通信デバイス１００をプログラムして、ユーザの好みに基づき、ソフトキー１０６を特定の機能１０８にマッピングしてもよい。他の実施形態によれば、マッピングプロセッサ１５２は、無線通信デバイス１００の操作モードに基づき、ソフトキー１０６を特定の機能１０８にマッピングする。そのためにマイクロプロセッサ１３２は、ユーザ入力及びマイクロプロセッサ１３２内の操作設定の少なくとも一方に基づき無線通信デバイス１００の操作モードを判定するために、モードプロセッサ１５４も含んでもよい。他の実施形態の一例では、マッピングプロセッサ１５２は、上述の方法のいずれかに従って使用法プロセッサが決定した使用パターンに基づき、ソフトキー１０６を特定の機能１０８にマッピングしてもよい。
【００３０】
図５によると、マイクロプロセッサ１３２はマッピングプロセッサ１５２、モードプロセッサ１５４、及び使用法プロセッサ１５６を備えているが、当業者には当然のことながら、本発明にとってこの構成が必須ではないことが理解されるであろう。また、これらのプロセッサ１５２、１５４、１５６の１つ以上が、個別のマイクロプロセッサで実装されてもよい。さらにまた、本発明にとって、無線通信デバイス１００がマッピング、モード及び使用法の各プロセッサ１５２、１５４、１５６を有することは必須ではない。したがって、本発明は、図５に示す特定の構成に限定されない。
【００３１】
上述したように、マッピングプロセッサ１５２は、可動カバー１０２が閉じているとき、ソフトキー１０６を選択した機能１０８にマッピングする。したがって、無線通信デバイス１００は、図５に示すように位置検出器１２６を備え、本体１０４に対する可動カバー１０２の位置も検出してもよい。位置検出器１２６は、周知の手段のいずれかに従って、可動カバー１０２の位置を検出してもよい。例えば、位置検出器１２６は、圧縮されたときに閉じた位置を示すばね仕掛けの装置を備えてもよい。代わりに、位置検出器１２６は、移動カバー１０２が閉じているときにわかるように、無線通信デバイス１００のヒンジ１０３又は他の回転部材若しくは軸部材の位置を検出してもよい。いずれにしても、本体に対する可動カバーの位置検出は、周知のことであり、したがって、本明細書ではこれ以上説明しない。
【００３２】
これまでの記述は、無線通信デバイス１００が第２のユーザインタフェース１４４のソフトキー１０６を第１のユーザインタフェース１４２の制御ボタンに通常割り当てられている特定の機能１０８にどのようにマッピングするかを説明した。図１Ａ乃至図１Ｃに示すように、ソフトキー１０６は、ディスプレイ１４６に近いところなら可動カバー１０２のどこに配置されてもよい。その中には、図１Ｂに示すように、可動カバー１０２の側面に沿った位置を含む。代わりに、図１Ｃに示すように、ソフトキー１０６は、ユーザが所望の機能を実施するために表示された機能ラベルに触れるように、タッチスクリーン機能を有するディスプレイ１４６の一部として実装されてもよい。また他の例示的な実施形態では、ソフトキーオプションは、ディスプレイ１４６上に表示されてもよく、また図１Ｄに示すようにユーザインタフェース１４４のジョイスティックなどの全方向制御ボタンで制御又は実施されてもよい。図１Ｄの例では、ジョイスティックを押し上げると削除オプション１０６を実施するのに対して、ジョイスティックを押し下げると再生オプション１０６を実施する。いずれにしても、ソフトキー１０６は、可動カバー１０２が閉じている間、第１のユーザインタフェース１４２の制御ボタンに通常割り当てられている様々な機能１０８へのアクセスを提供する。
【００３３】
本発明は、もちろん、本発明の本質的特徴から逸脱することなしに、本明細書に具体的に記載された方法以外の方法で実行されてもよい。本明細書の実施形態は、あらゆる点で説明するためのものであり、限定するためのものではないと見なすべきであり、添付の特許請求の範囲の意味及び同等の範囲内での全ての変更は、その中に包含することを意図する。
【図面の簡単な説明】
【００３４】
【図１Ａ】本発明に係るジャックナイフ型無線通信デバイスを示す図である。
【図１Ｂ】本発明に係るクラムシェル型無線通信デバイスを示す図である。
【図１Ｃ】本発明に係るスライド型無線通信デバイスを示す図である。
【図１Ｄ】本発明に係る例示的なソフトキー実装を説明するための他のスライド型無線通信デバイスを示す図である。
【図２】本発明のマッピングプロセスを実施する方法の一例を示すフローチャートである。
【図３】本発明のマッピングプロセスを実施する他の方法の一例を示すフローチャートである。
【図４】本発明のマッピングプロセスを実施する他の方法の一例を示すフローチャートである。
【図５】本発明に係る無線通信デバイスの一例を示すブロック図である。
【図１Ａ】
2008544643.tif 000003
【図１Ｂ】
2008544643.tif 000004
【図１Ｃ】
2008544643.tif 000005
【図１Ｄ】
2008544643.tif 000006
【図２】
2008544643.tif 000007
【図３】
2008544643.tif 000008
【図４】
2008544643.tif 000009
【図５】
2008544643.tif 000010
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
本体（１０４）と可動カバー（１０２）とを備える無線通信デバイス（１００）用に改良されたユーザインタフェースを設ける方法であって、
前記可動カバー（１０２）が前記本体（１０４）に対して閉じた位置にあるときに、該可動カバー（１０２）によって少なくとも一部が隠される、複数のキーを有するキーパッドを備える第１のユーザインタフェースを設けるステップと、
前記可動カバー（１０２）が前記閉じた位置にあるときにアクセス可能なソフトキー（１０６）を有する前記第２のユーザインタフェースを設けるステップと、
前記可動カバー（１０２）が前記閉じた位置にあるときに、前記第１のユーザインタフェースが有する前記キーパッドの前記複数のキーのうち選択されたキーに割り当てられている機能（１０８）に前記ソフトキー（１０６）をマッピングするステップと
を含むことを特徴とする方法。
【請求項２】
前記機能に前記ソフトキー（１０６）をマッピングする前記ステップは、ユーザ入力に応じて前記機能に前記ソフトキー（１０６）をマッピングするステップを含むことを特徴とする請求項１に記載の方法。
【請求項３】
前記機能に前記ソフトキー（１０６）をマッピングする前記ステップは、使用形態に基づいて前記機能に前記ソフトキー（１０６）をマッピングするステップを含むことを特徴とする請求項１に記載の方法。
【請求項４】
前記機能に前記ソフトキー（１０６）をマッピングする前記ステップは、識別された動作モードに基づいて前記機能に前記ソフトキー（１０６）をマッピングするステップを含むことを特徴とする請求項１に記載の方法。
【請求項５】
前記機能に前記ソフトキー（１０６）をマッピングする前記ステップは、前記識別された動作モードとは異なる動作モードでは異なる機能に前記ソフトキー（１０６）をマッピングするステップをさらに含むことを特徴とする請求項４に記載の方法。
【請求項６】
前記機能に前記ソフトキー（１０６）をマッピングする前記ステップは、解釈した音声オプションに基づいて前記機能に前記ソフトキー（１０６）をマッピングするステップを含むことを特徴とする請求項１に記載の方法。
【請求項７】
前記可動カバー（１０２）が閉じた位置にあるときに、前記ソフトキー（１０６）の作動に応じて前記機能を実行するステップと、
前記本体（１０４）に対して前記可動カバー（１０２）が開いた位置にあるときに、前記キーパッドの選択されたキーの作動に応じて前記機能を実行するステップと
をさらに含むことを特徴とする請求項１に記載の方法。
【請求項８】
前記機能に前記ソフトキー（１０６）をマッピングする前記ステップは、前記キーパッドの選択されたキーに割り当てられている音声メール機能に前記ソフトキー（１０６）をマッピングするステップを含むことを特徴とする請求項１に記載の方法。
【請求項９】
前記音声メール機能は、削除機能、スキップ機能、セーブ機能及び再生機能の１つを含むことを特徴とする請求項８に記載の方法。
【請求項１０】
前記可動カバー（１０２）が閉じた位置にあるときに、前記ソフトキー（１０６）の作動に応じて、前記選択されたキーに対応する多周波数信号を無線受信機に送信することによって、前記音声メール機能を実行するステップをさらに含むことを特徴とする請求項８に記載の方法。
【請求項１１】
前記機能に前記ソフトキー（１０６）をマッピングする前記ステップは、前記第１のユーザインタフェース（１４２）の前記選択されたキーに割り当てられている機能のメニューに前記ソフトキー（１０６）をマッピングするステップを含むことを特徴とする請求項１に記載の方法。
【請求項１２】
前記第１のユーザインタフェース（１４２）は、前記本体（１０４）上に設けられることを特徴とする請求項１に記載の方法。
【請求項１３】
前記第２のユーザインタフェース（１４４）は、前記可動カバー（１０２）上に設けられることを特徴とする請求項１に記載の方法。
【請求項１４】
前記第１のユーザインタフェース（１４２）の前記キーパッドの選択されたキーに割り当てられている前記機能は、第１機能を含み、
前記可動カバー（１０２）が前記本体（１０４）に対して開いた位置にあるときに、前記第１機能とは異なる第２機能に前記ソフトキー（１０６）をマッピングするステップをさらに含むことを特徴とする請求項１に記載の方法。
【請求項１５】
前記第２機能に前記ソフトキー（１０６）をマッピングする前記ステップは、識別された動作モードに基づいて前記第２機能に前記ソフトキー（１０６）をマッピングするステップを含むことを特徴とする請求項１４に記載の方法。
【請求項１６】
本体（１０４）と可動カバー（１０２）とを備える無線通信デバイス（１００）用に音声メール制御ボタンを設ける方法であって、
前記可動カバー（１０２）が前記本体（１０４）に対して閉じた位置にあるときに、前記可動カバー（１０２）によって少なくとも一部が隠されるキーパッド（１４２）であって、前記本体（１０４）又は前記可動カバー（１０２）に前記キーパッド（１４２）を設けるステップと、
前記可動カバー（１０２）が閉じた位置にあるときにアクセス可能なソフトキー（１０６）を、前記本体（１０４）又は前記可動カバー（１０２）に設けるステップと、
前記音声メールの動作モード中に、前記可動カバー（１０２）が閉じた位置にあるときに、前記キーパッド（１４２）のうち選択されたキーに割り当てられている音声メール機能に前記ソフトキー（１０６）を電子的にマッピングするステップと
を含むことを特徴とする方法。
【請求項１７】
前記可動カバー（１０２）が前記閉じている位置にある間に前記ソフトキー（１０６）の作動に応じて前記選択されたキーに対応する多周波数信号を無線受信機に送信することによって前記音声メール機能を実行するステップをさらに含むことを特徴とする請求項１６に記載の方法。
【請求項１８】
前記音声メール機能は、削除機能、スキップ機能、セーブ機能及び再生機能の１つを含むことを特徴とする請求項１６に記載の方法。
【請求項１９】
前記音声メール機能に前記ソフトキー（１０６）をマッピングする前記ステップは、ユーザ入力に応じて前記音声メール機能に前記ソフトキー（１０６）をマッピングするステップを含むことを特徴とする請求項１６に記載の方法。
【請求項２０】
前記音声メール機能に前記ソフトキー（１０６）をマッピングする前記ステップは、使用形態に基づいて前記音声メール機能に前記ソフトキー（１０６）をマッピングするステップを含むことを特徴とする請求項１６に記載の方法。
【請求項２１】
前記音声メール機能に前記ソフトキー（１０６）をマッピングする前記ステップは、解釈した音声オプションに基づいて前記音声メール機能を前記ソフトキー（１０６）にマッピングするステップを含むことを特徴とする請求項１６に記載の方法。
【請求項２２】
本体（１０４）と可動カバー（１０２）とを備える無線通信デバイス（１００）用に改良されたユーザインタフェースを設ける方法であって、
前記可動カバー（１０２）が第１のユーザインタフェース（１４２）の少なくとも一部を隠す場合に閉じた位置を検知するステップと、
前記無線通信デバイス（１００）の動作モードを識別するステップと、
識別された前記動作モードに基づき、前記可動カバー（１０２）が前記閉じた位置にあるときに、前記閉じた位置の検知に応じて前記第１のユーザインタフェース（１４２）のキーパッドの選択されたキーに割り当てられている機能にソフトキー（１０６）を電子的にマッピングするステップと
を含むことを特徴とする方法。
【請求項２３】
前記機能に前記ソフトキー（１０６）をマッピングする前記ステップは、ユーザ入力に応じて前記機能に前記ソフトキー（１０６）をマッピングするステップを含むことを特徴とする請求項２２に記載の方法。
【請求項２４】
前記機能に前記ソフトキー（１０６）をマッピングする前記ステップは、使用形態に基づいて前記機能に前記ソフトキー（１０６）をマッピングするステップを含むことを特徴とする請求項２２に記載の方法。
【請求項２５】
識別された前記動作モードは、音声メール動作モードを含み、
前記機能に前記ソフトキー（１０６）をマッピングする前記ステップは、前記第１のユーザインタフェース（１４２）の前記キーパッドの前記選択されたキーに割り当てられている音声メール機能に前記ソフトキー（１０６）をマッピングするステップを含むことを特徴とする請求項２２に記載の方法。
【請求項２６】
無線通信デバイス（１００）であって、
本体（１０４）と、
前記本体（１０４）に結合された可動カバー（１０２）と、
前記可動カバー（１０２）が前記本体（１０４）に対して閉じた位置にあるときに、前記可動カバー（１０２）によって少なくとも部分的に隠される第１のユーザインタフェース（１４２）であって、複数のキーを有するキーパッドを含む前記第１のユーザインタフェース（１４２）と、
前記可動カバー（１０２）が前記閉じた位置にあるときに、アクセス可能な第２のユーザインタフェース（１４４）であって、ソフトキー（１０６）を含む前記第２のユーザインタフェース（１４４）と、
前記可動カバー（１０２）が前記閉じた位置にあるときに、前記第１のユーザインタフェース（１４２）の前記キーパッドの前記選択されたキーに割り当てられている機能に前記ソフトキー（１０６）をマッピングするマッピングプロセッサ（１５２）であって、前記第２のユーザインタフェース（１４４）に動作可能に接続された前記マッピングプロセッサ（１５２）と
を備えることを特徴とする無線通信デバイス（１００）。
【請求項２７】
前記マッピングプロセッサ（１５２）は、ユーザ入力に応じて前記機能に前記ソフトキー（１０６）をマッピングすることを特徴とする請求項２６に記載の無線通信デバイス（１００）。
【請求項２８】
前記マッピングプロセッサ（１５２）は、
音声オプションを解釈し、
前記解釈した音声オプションに基づいて前記機能に前記ソフトキー（１０６）をマッピングすることを特徴とする請求項２６に記載の無線通信デバイス（１００）。
【請求項２９】
使用形態を決定する使用法プロセッサ（１５６）をさらに備え、
前記マッピングプロセッサ（１５２）は、前記使用形態に基づいて前記機能に前記ソフトキー（１０６）をマッピングすることを特徴とする請求項２６に記載の無線通信デバイス（１００）。
【請求項３０】
前記無線通信デバイス（１００）の動作モードを識別するモードプロセッサ（１５４）をさらに備え、
前記マッピングプロセッサ（１５２）は、識別された動作モードに基づいて前記機能に前記ソフトキー（１０６）をマッピングすることを特徴とする請求項２６に記載の無線通信デバイス（１００）。
【請求項３１】
前記マッピングプロセッサ（１５２）は、前記識別された動作モードとは異なる動作モード中に異なる機能に前記ソフトキー（１０６）をマッピングすることを特徴とする請求項３０に記載の無線通信デバイス（１００）。
【請求項３２】
前記無線通信デバイス（１００）は、
前記可動カバー（１０２）が前記閉じた位置にあるときに、前記ソフトキー（１０６）の作動に応じて前記機能を実行し、
前記可動カバー（１０２）が前記本体（１０４）に対して開いた位置にあるときに、前記選択されたキーの作動に応じて前記機能を実行することを特徴とする請求項２６に記載の無線通信デバイス（１００）。
【請求項３３】
前記機能は、音声メール機能を含むことを特徴とする請求項３２に記載の無線通信デバイス（１００）。
【請求項３４】
前記可動カバー（１０２）が前記閉じた位置にあるときに、前記ソフトキー（１０６）の作動に応じて前記音声メール機能に対応する多周波数信号を無線受信機に送信する送受信機（１２２）をさらに備えることを特徴とする請求項３３に記載の無線通信デバイス（１００）。
【請求項３５】
前記第１のユーザインタフェース（１４２）は、前記本体（１０４）に配置されることを特徴とする請求項２６に記載の無線通信デバイス（１００）。
【請求項３６】
前記第２のユーザインタフェース（１４４）は、前記可動カバー（１０２）に配置されることを特徴とする請求項２６に記載の無線通信デバイス（１００）。
【請求項３７】
前記第１のユーザインタフェース（１４２）の前記選択されたキーに割り当てられている前記機能は、第１機能を含み、
前記マッピングプロセッサ（１５２）は、さらに、
前記可動カバー（１０２）が前記本体（１０４）に対して開いた位置にあるときに、前記第１機能とは異なる第２機能に前記ソフトキー（１０６）をマッピングすることを特徴とする請求項２６に記載の無線通信デバイス（１００）。
【請求項３８】
無線通信デバイス（１００）であって、
本体（１０４）と、
前記本体（１０４）に結合された可動カバー（１０２）と、
前記可動カバー（１０２）が前記本体（１０４）に対して閉じた位置にあるときに、前記可動カバー（１０２）によって少なくとも一部が隠されるキーパッド（１４２）と、
前記可動カバー（１０２）が前記閉じた位置にあるときに、アクセス可能なソフトキー（１０６）と、
前記可動カバー（１０２）が前記閉じた位置にあるときに、前記キーパッドの選択されたキーに割り当てられている音声メール機能に前記ソフトキー（１０６）を電子的にマッピングするマッピングプロセンサ（１５２）と
を備えることを特徴とする無線通信デバイス（１００）。
【請求項３９】
前記可動カバー（１０２）が閉じた位置にあるときに、前記ソフトキー（１０６）の作動に応じて前記選択されたキーに対応する多周波数信号を送信する送受信機（１２２）をさらに備えることを特徴とする請求項３８に記載の無線通信デバイス（１００）。
【請求項４０】
使用形態を決定する使用法プロセッサ（１５６）をさらに備え、
前記マッピングプロセッサ（１５２）は、前記使用形態に基づいて前記機能に前記ソフトキー（１０６）をマッピングすることを特徴とする請求項３８に記載の無線通信デバイス（１００）。
【請求項４１】
前記マッピングプロセッサ（１５２）は、さらに、音声オプションを解釈し、該解釈した音声オプションに基づいて前記音声メール機能に前記ソフトキー（１０６）をマッピングすることを特徴とする請求項３８に記載の無線通信デバイス（１００）。
【請求項４２】
無線通信デバイス（１００）であって、
本体（１０４）と、
前記本体（１０４）に結合された可動カバー（１０２）と、
前記可動カバー（１０２）が前記本体（１０４）に対して閉じた位置にあるときに、少なくとも部分的に隠される第１のユーザインタフェース（１４４）であって、複数のキーを有するキーパッドを備える前記第１のユーザインタフェース（１４２）と、
前記可動カバー（１０２）が前記本体（１０４）に対して閉じた位置にあるときにアクセス可能なソフトキー（１０６）を含む第２のユーザインタフェース（１４４）と、
前記無線通信デバイス（１００）の動作モードを識別するモードプロセッサ（１５４）と、
前記可動カバー（１０２）が前記第１のユーザインタフェース（１４２）の少なくとも一部を隠す場合に、前記動作モードに基づいて前記第１のユーザインタフェース（１４２）が有する前記キーパッドの複数のキーのうち選択されたキーに割り当てられている機能に前記ソフトキー（１０６）を電子的にマッピングするマッピングプロセッサ（１５２）と
を備えることを特徴とする無線通信デバイス（１００）。
【請求項４３】
前記マッピングプロセッサ（１５２）は、ユーザ入力に応じて前記機能に前記ソフトキー（１０６）をマッピングすることを特徴とする請求項４２に記載の無線通信デバイス（１００）。
【請求項４４】
使用形態を決定する使用法プロセッサ（１５６）をさらに備え、
前記マッピングプロセッサ（１５２）は、前記使用形態に基づいて前記機能に前記ソフトキー（１０６）をマッピングすることを特徴とする請求項４２に記載の無線通信デバイス（１００）。
【請求項４５】
本体（１０４）と可動カバー（１０２）とを備える無線通信デバイス（１００）用に改良されたユーザインタフェースを設ける方法であって、
前記可動カバー（１０２）が前記本体（１０４）に対して、開いた位置又は閉じた位置のいずれかにあるときにアクセス可能な第１のユーザインタフェース（１４４）を前記無線通信デバイス（１００）の前記可動カバー（１０２）上に設けるステップと、
前記可動カバー（１０２）が開いた位置にあるときに、前記第１のユーザインタフェース（１４４）の制御ボタンを第１機能に電子的にマッピングするステップと、
前記可動カバー（１０２）が閉じた位置にあるときに、前記第１のユーザインタフェース（１４４）の制御ボタンを、第２のユーザインタフェース（１４２）のキーパッド上のキーに割り当てられている第２機能に電子的にマッピングするステップと
を含み、
前記可動カバー（１０２）が閉じた位置にあるときに前記第２のユーザインタフェース（１４２）の少なくとも一部を隠すことを特徴とする方法。
【請求項４６】
前記本体（１０４）上に第２のユーザインタフェース（１４２）を設けるステップをさらに含み、
前記第２のユーザインタフェース（１４２）は、
前記可動カバー（１０２）が閉じた位置にあるときに、該可動カバー（１０２）によって少なくとも部分的に隠されることを特徴とする請求項４５に記載の方法。
【請求項４７】
前記第２機能は、前記第２のユーザインタフェース（１４２）の選択された制御ボタンに割り当てられている機能を含むことを特徴とする請求項４５に記載の方法。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
本体（１０４）と可動カバー（１０２）とを備える無線通信デバイス（１００）用に改良されたユーザインタフェースを設ける方法であって、
前記可動カバー（１０２）が前記本体（１０４）に対して閉じた位置にあるときに、該可動カバー（１０２）によって少なくとも一部が隠される、複数のキーを有するキーパッドを備える第１のユーザインタフェースを設けるステップと、
前記可動カバー（１０２）が前記閉じた位置にあるときに、アクセス可能な、ソフトキー（１０６）を有する前記第２のユーザインタフェースを設けるステップと、
前記可動カバー（１０２）が前記閉じた位置にあるときに、前記第１のユーザインタフェースが有する前記キーパッドの前記複数のキーのうち選択されたキーに割り当てられている機能（１０８）に前記ソフトキー（１０６）をマッピングするステップと
を含むことを特徴とする方法。
【請求項２】
前記機能に前記ソフトキー（１０６）をマッピングする前記ステップは、ユーザ入力、使用形態、識別された動作モード、及び、解釈した音声オプションの１つに応じて前記機能に前記ソフトキー（１０６）をマッピングするステップを含むことを特徴とする請求項１に記載の方法。
【請求項３】
前記識別された動作モードに基づいて、前記機能に前記ソフトキー（１０６）をマッピングする前記ステップは、前記識別された動作モードとは異なる動作モード中に、異なる機能に前記ソフトキー（１０６）をマッピングするステップをさらに含むことを特徴とする請求項２に記載の方法。
【請求項４】
前記可動カバー（１０２）が閉じた位置にあるときに、前記ソフトキー（１０６）の作動に応じて前記機能を実行するステップと、
前記本体（１０４）に対して前記可動カバー（１０２）が開いた位置にあるときに、前記キーパッドの選択されたキーの作動に応じて前記機能を実行するステップと
をさらに含むことを特徴とする請求項１に記載の方法。
【請求項５】
前記機能に前記ソフトキー（１０６）をマッピングする前記ステップは、前記キーパッドの選択されたキーに割り当てられている音声メール機能に前記ソフトキー（１０６）をマッピングするステップを含むことを特徴とする請求項１に記載の方法。
【請求項６】
前記可動カバー（１０２）が閉じた位置にあるときに、前記ソフトキー（１０６）の作動に応じて、前記選択されたキーに対応する多周波数信号を無線受信機に送信することによって、前記音声メール機能を実行するステップをさらに含むことを特徴とする請求項５に記載の方法。
【請求項７】
前記機能に前記ソフトキー（１０６）をマッピングする前記ステップは、前記第１のユーザインタフェース（１４２）の前記選択されたキーに割り当てられている機能のメニューに前記ソフトキー（１０６）をマッピングするステップを含むことを特徴とする請求項１に記載の方法。
【請求項８】
前記第１のユーザインタフェース（１４２）は、前記本体（１０４）上に設けられ、
前記第２のユーザインタフェース（１４４）は、前記可動カバー（１０２）上に設けられることを特徴とする請求項１に記載の方法。
【請求項９】
前記第１のユーザインタフェース（１４２）の前記キーパッドの選択されたキーに割り当てられている前記機能は、第１機能を含み、
前記可動カバー（１０２）が前記本体（１０４）に対して開いた位置にあるときに、前記第１機能とは異なる第２機能に前記ソフトキー（１０６）をマッピングするステップをさらに含むことを特徴とする請求項１に記載の方法。
【請求項１０】
無線通信デバイス（１００）であって、
本体（１０４）と、
前記本体（１０４）に結合された可動カバー（１０２）と、
前記可動カバー（１０２）が前記本体（１０４）に対して閉じた位置にあるときに、前記可動カバー（１０２）によって少なくとも部分的に隠される第１のユーザインタフェース（１４２）であって、複数のキーを有するキーパッドを含む前記第１のユーザインタフェース（１４２）と、
前記可動カバー（１０２）が前記閉じた位置にあるときに、アクセス可能な第２のユーザインタフェース（１４４）であって、ソフトキー（１０６）を含む前記第２のユーザインタフェース（１４４）と、
前記可動カバー（１０２）が前記閉じた位置にあるときに、前記第１のユーザインタフェース（１４２）の前記キーパッドの前記選択されたキーに割り当てられている機能に前記ソフトキー（１０６）をマッピングするマッピングプロセッサ（１５２）であって、前記第２のユーザインタフェース（１４４）に動作可能に接続された前記マッピングプロセッサ（１５２）と
を備えることを特徴とする無線通信デバイス（１００）。
【請求項１１】
前記マッピングプロセッサ（１５２）は、ユーザ入力及び解釈された音声オプションの１つに応じて前記機能に前記ソフトキー（１０６）をマッピングすることを特徴とする請求項１０に記載の無線通信デバイス（１００）。
【請求項１２】
使用形態を決定する使用法プロセッサ（１５６）、及び、前記無線通信デバイス（１００）の動作モードを識別するモードプロセッサ（１５４）の少なくとも１つをさらに備え、
前記マッピングプロセッサ（１５２）は、前記使用形態及び前記識別された動作モードの１つに基づいて前記機能に前記ソフトキー（１０６）をマッピングすることを特徴とする請求項１０に記載の無線通信デバイス（１００）。
【請求項１３】
前記マッピングプロセッサ（１５２）は、前記識別された動作モードとは異なる動作モード中に、異なる機能に前記ソフトキー（１０６）をマッピングすることを特徴とする請求項１２に記載の無線通信デバイス（１００）。
【請求項１４】
前記無線通信デバイス（１００）は、
前記可動カバー（１０２）が前記閉じた位置にあるときに、前記ソフトキー（１０６）の作動に応じて前記機能を実行し、
前記可動カバー（１０２）が前記本体（１０４）に対して開いた位置にあるときに、前記選択されたキーの作動に応じて前記機能を実行することを特徴とする請求項１０に記載の無線通信デバイス（１００）。
【請求項１５】
前記機能は、音声メール機能を含むことを特徴とする請求項１０に記載の無線通信デバイス（１００）。
【請求項１６】
前記可動カバー（１０２）が前記閉じた位置にあるときに、前記ソフトキー（１０６）の作動に応じて前記音声メール機能に対応する多周波数信号を無線受信機に送信する送受信機（１２２）をさらに備えることを特徴とする請求項１５に記載の無線通信デバイス（１００）。
【請求項１７】
前記第１のユーザインタフェース（１４２）は、前記本体（１０４）に配置され、
前記第２のユーザインタフェース（１４４）は、前記可動カバー（１０２）に配置されることを特徴とする請求項１０に記載の無線通信デバイス（１００）。
【請求項１８】
前記第１のユーザインタフェース（１４２）の前記選択されたキーに割り当てられている前記機能は、第１機能を含み、
前記マッピングプロセッサ（１５２）は、さらに、
前記可動カバー（１０２）が前記本体（１０４）に対して開いた位置にあるときに、前記第１機能とは異なる第２機能に前記ソフトキー（１０６）をマッピングすることを特徴とする請求項１０に記載の無線通信デバイス（１００）。
【請求項１９】
本体（１０４）と可動カバー（１０２）とを備える無線通信デバイス（１００）用に改良されたユーザインタフェースを設ける方法であって、
前記可動カバー（１０２）が前記本体（１０４）に対して、開いた位置又は閉じた位置のいずれかにあるときにアクセス可能な第１のユーザインタフェース（１４４）を前記無線通信デバイス（１００）の前記可動カバー（１０２）上に設けるステップと、
前記可動カバー（１０２）が開いた位置にあるときに、前記第１のユーザインタフェース（１４４）の制御ボタンを第１機能に電子的にマッピングするステップと、
前記可動カバー（１０２）が閉じた位置にあるときに、前記第１のユーザインタフェース（１４４）の制御ボタンを、第２のユーザインタフェース（１４２）のキーパッド上のキーに割り当てられている第２機能に電子的にマッピングするステップと
を含み、
前記可動カバー（１０２）が閉じた位置にあるときに前記第２のユーザインタフェース（１４２）の少なくとも一部を隠すことを特徴とする方法。
【請求項２０】
前記本体（１０４）上に第２のユーザインタフェース（１４２）を設けるステップをさらに含み、
前記第２のユーザインタフェース（１４２）は、
前記可動カバー（１０２）が閉じた位置にあるときに、該可動カバー（１０２）によって少なくとも部分的に隠され、
前記第２機能は、前記第２のユーザインタフェース（１４２）の選択された制御ボタンに割り当てられている機能を含むことを特徴とする請求項１９に記載の方法。
【国際調査報告】
2008544643.tif 000011
2008544643.tif 000012
2008544643.tif 000013